(57)【要約】【課題】足場に拠ることなくサッシを取付けたり取外したりでき、取付作業のコストを低減すると共に安全に取付け及び取外しを行うことのできるサッシの取付構造及び取付方法を提供する。【解決手段】建物の外壁５の開口部Ａに上下枠及び縦枠を方形状に枠組みしてなる主枠体１を取付けてなるサッシの取付構造において、上下補助枠及び縦補助枠を方形状に枠組みしてなる補助枠体１７を上記開口部Ａに屋外側から取付け固定し、上記主枠体１は上記開口部Ａに屋内側から取付けると共に、上記補助枠体１７に屋内側から固定することを特徴としてなる。【選択図】　図１
2004036176.tif 000002
【特許請求の範囲】
【請求項１】
建物の外壁の開口部に上下枠及び縦枠を方形状に枠組みしてなる主枠体を取付けてなるサッシの取付構造において、
上下補助枠及び縦補助枠を方形状に枠組みしてなる補助枠体を上記開口部に屋外側から取付け固定し、上記主枠体は上記開口部に屋内側から取付けると共に、上記補助枠体に屋内側から固定することを特徴とするサッシの取付構造。
【請求項２】
上記補助枠体はその屋内側面に枠体固定部を有し、該枠体固定部は上記補助枠体の四周に連続してなると共に、上記主枠体は上記枠体固定部に屋内側から当接固定する取付片を有することを特徴とする請求項１記載のサッシの取付構造。
【請求項３】
上記補助枠体はその屋外側端部に上記外壁の外面に固定される取付フィンを有し、該取付フィンの外面及び上記外壁の外面は防水処理を施されていることを特徴とする請求項１または２記載のサッシの取付構造。
【請求項４】
上記補助枠体は屋内側端部に内側取付フィンを有し、該内側取付フィンを上記開口部の内周面に固定することを特徴とする請求項３記載のサッシの取付構造。
【請求項５】
上記下補助枠はその屋外側端部に水切部を一体形成されていることを特徴とする請求項１〜４記載のサッシの取付構造。
【請求項６】
上記開口部の内周面における上記主枠体及び上記補助枠体の連結部空間に化粧枠を設けることを特徴とする請求項１〜５記載のサッシの取付構造。
【請求項７】
建物の外壁に設けられる開口部に上下枠及び縦枠を方形状に枠組みしてなる主枠体を取付けてなるサッシの取付方法において、
上下補助枠及び縦補助枠を方形状に枠組みしてなる補助枠体を上記開口部に屋外側から取付け固定し、上記主枠体は上記開口部に屋内側から取付けると共に、上記補助枠体に屋内側から固定することを特徴とするサッシの取付方法。
【発明の詳細な説明】
【０００１】
【発明の属する技術分野】
本発明は、建物の開口部に設けられるサッシの取付構造及び取付方法に関し、特にサッシの取付作業を屋内側から行うことのできるサッシの取付構造及び取付方法に関する。
【０００２】
【従来の技術】
建物の開口部に設けられるサッシは、建物の外壁に固定される枠体と、その枠体の中に納められる障子とからなっている。枠体は、上枠と下枠及び左右の縦枠からなり、これらを枠組みして形成される。また、障子は上框と下框及び左右の縦框を框組みして形成され、その中にガラス体を納めてなる。
【０００３】
このようなサッシを建物に取付けるための構造は以下のようなものである。すなわち、枠組みされた枠体はその四周に枠体から突出したフィン部を有し、そのフィン部と建物の外壁とをネジ等によって固定する。ここで、建物の外壁は屋外側に面していることから、フィン部を外壁に取付けるには建物の屋外側から固定する必要がある。
【０００４】
【発明が解決しようとする課題】
しかし、従来のサッシの取付構造及び取付方法には以下に述べる問題点を有していた。
枠体を建物の開口部に屋外側から取付けるには足場に拠らなければならない。これにはコストがかかると共に、枠体は重量が大きいために高所での作業には危険が伴う。また、建物のリフォームを行う際に、サッシの取替えを行う場合があり、サッシを取り外すときにも足場を組むことが必要になる。さらに、サッシは外壁に直接取付けられるので、取替えの際にサッシを取り外すには外壁を一部取り壊す必要があり、外壁を施工し直さなければならなくなって、手間及びコストをかける必要がある。
【０００５】
本発明は、上記従来の問題点に鑑みてなされたものであり、足場に拠ることなくサッシを取付けたり取外したりでき、取付作業のコストを低減すると共に安全に取付け及び取外しを行うことのできるサッシの取付構造及び取付方法を提供することを目的とする。
【０００６】
【課題を解決するための手段】
上記目的を達成するため請求項１記載の本発明は、建物の外壁の開口部に上下枠及び縦枠を方形状に枠組みしてなる主枠体を取付けてなるサッシの取付構造において、上下補助枠及び縦補助枠を方形状に枠組みしてなる補助枠体を上記開口部に屋外側から取付け固定し、上記主枠体は上記開口部に屋内側から取付けると共に、上記補助枠体に屋内側から固定することを特徴として構成されている。
【０００７】
また、請求項２記載の本発明は、請求項１記載の本発明において、上記補助枠体はその屋内側面に枠体固定部を有し、該枠体固定部は上記補助枠体の四周に連続してなると共に、上記主枠体は上記枠体固定部に屋内側から当接固定する取付片を有することを特徴として構成されている。
【０００８】
さらに、請求項３記載の本発明は、請求項１または２記載の本発明において、上記補助枠体はその屋外側端部に上記外壁の外面に固定される取付フィンを有し、該取付フィンの外面及び上記外壁の外面は防水処理を施されていることを特徴として構成されている。
【０００９】
さらにまた、請求項４記載の本発明は、請求項３記載の本発明において、上記補助枠は屋内側端部に内側取付フィンを有し、該内側取付フィンを上記開口部の内周面に固定することを特徴として構成されている。
【００１０】
そして、請求項５記載の本発明は、請求項１〜４記載の本発明において、上記補助枠は上記開口部の下部に設けられる下補助枠を有し、該下補助枠は屋外側端部に水切部を一体形成されていることを特徴として構成されている。
【００１１】
また、請求項６記載の本発明は、請求項１〜５記載の本発明において、上記開口部の内周面における上記主枠体及び上記補助枠体の連結部空間に化粧枠を設けることを特徴として構成されている。
【００１２】
さらに、請求項７記載の本発明は、建物の外壁に設けられる開口部に上下枠及び縦枠を方形状に枠組みしてなる主枠体を取付けてなるサッシの取付方法において、上下補助枠及び縦補助枠を方形状に枠組みしてなる補助枠体を上記開口部に屋外側から取付け固定し、上記主枠体は上記開口部に屋内側から取付けると共に、上記補助枠体に屋内側から固定することを特徴として構成されている。
【００１３】
【発明の実施の形態】
以下、本発明の実施形態を図面に沿って詳細に説明する。図１は本実施形態におけるサッシの縦断面図である。また、図２は本実施形態におけるサッシの横断面図である。これら各図において本発明に係るサッシは、窓開口部Ａに装着された上枠２０、下枠３０、及び縦枠４０、４０からなる主枠体１内に、上框５０、下框６０、及び縦框７０、７０からなる框体２にガラス体８０を納めた一対の障子３を引違い状に走行自在に納めてなるものである。
【００１４】
主枠体１を構成する各枠材は、複合型の枠材であり、ベースとなる金属枠１２とその屋内側露出部分を覆う樹脂枠１３とから構成されている。すなわち、金属枠１２は、金属上枠２１、金属下枠３１、金属縦枠４１、４１を方形状に枠組みして構成され、樹脂枠１３は、樹脂上枠２２、樹脂下枠３２、樹脂縦枠４２、４２を方形状に枠組みして構成されている。そして、上記樹脂上枠２２は金属上枠２１に、樹脂下枠３２は金属下枠３１に、樹脂縦枠４２は金属縦枠４１に、それぞれ取付けられている。金属上枠２１と金属下枠３１及び金属縦枠４１、４１には、それぞれ係止片が設けられ、樹脂上枠２２と樹脂下枠３２及び樹脂縦枠４２、４２はそれらに係合された上で、ネジによって固定される。
【００１５】
一方、障子３は、主枠体１の屋外側に配される外障子１０と屋内側に配される内障子１１とからなり、上下及び左右の框材を方形状に框組みしてなる框体２内にガラス体８０を納めている。ここで、ガラス体８０は押縁部材８１を介して屋外側を金属框１５によって、屋内側を樹脂框１６によって保持されている。また、外障子１０の屋外側には網戸４が取付けられている。框体２を構成する各框材は、上記主枠体１と同様に、金属框１５とその屋内側露出部分を覆うように取付けられた樹脂框１６とで構成されている。すなわち、上記樹脂上框５２は金属上框５１に、樹脂下框６２は金属下框６１に、樹脂縦框７２、７２は金属縦框７１、７１に、それぞれ取り付けられている。金属上框５１、金属下框６１、及び金属縦框７１、７１には、それぞれ係止片が設けられ、樹脂上框５２，樹脂下框６２及び樹脂縦框７２、７２はそれらに係合された上で、ネジによって固定される。
【００１６】
また、金属框１５には水密材８４が設けられて、この水密材８４を主枠体１に当接させることで、雨水の屋内側への浸入を防いでいる。水密材８４は、金属上框５１においてはその上端部、すなわち障子３の屋外側上端部の内面側に設けられ、金属上枠２１若しくは樹脂上枠２２に当接される。また、金属下框６１においてはその下端部、すなわち障子３の屋外側下端部の内面側に設けられ、金属下枠３１若しくは樹脂下枠３２に当接される。さらに金属縦框７１、７１においては縦枠側端部、すなわち障子３の屋外側左右端部の内面側に設けられ、金属縦枠４１、４１に当接される。
【００１７】
なお、上記金属枠１２及び金属框１５は通常アルミの押出し型材にて成型され、また樹脂枠１３及び樹脂框１６は塩化ビニルやアクリル樹脂等から成型される。このように樹脂枠１３にて金属枠１２の屋内側露出部分を覆うと共に、樹脂框１６にて金属框１５の屋内側露出部分を覆うことにより、金属による冷たい感じを隠し、また熱伝導率の低い樹脂によって断熱効果を向上させている。また、これらの樹脂材には、木材粉等を混入させて、外観上あたかも木材で形成されているかの観を呈することもできる。
【００１８】
また、金属下枠３１にはレール８２、８２が形成され、外障子１０及び内障子１１の下端部に設けられた戸車８３、８３がその上に載置されて、外障子１０及び内障子１１はいずれも横方向に走行自在とされる。
【００１９】
次に、補助枠１７について説明する。図３〜５は本実施形態における各断面図の要部拡大図である。図３は上補助枠２３付近を、図４は下補助枠３３付近を、図５は縦補助枠４３付近をそれぞれ示している。また、図６は本発明の実施形態における主枠体１と補助枠体１７の上部拡大組立図である。すなわち、図６は主枠体１のうち、上枠２０を補助枠体１７に取付ける部分のみを示している。下枠３０と縦枠４０、４０についても上枠２０と同様に補助枠体１７と固定される。ただし、下枠３０と縦枠４０、４０において取付部材２８は用いられない。
【００２０】
上補助枠２３と下補助枠３３及び縦補助枠４３、４３は、方形状に枠組みされて補助枠体１７を形成する。補助枠体１７の各屋内側面１８ａ、１８ａ、１８ａ、１８ａは、枠組みされた状態で同一平面上において四周に連続しており、図６に示すように枠体固定部１８を形成する。主枠体１は上枠２０と下枠３０及び縦枠４０、４０にそれぞれ取付片２５、３５、４５、４５を有しており、この枠体固定部１８に屋内側から取付け固定される。これによって、上枠２０は上補助枠２３に、下枠３０は下補助枠３３に、縦枠４０、４０は縦補助枠４３、４３にそれぞれ屋内側から固定される。
【００２１】
図３に示すように上補助枠２３は、その断面を方形状に形成され、内部は中空状とされている。また、その屋外側面は上方に突出すると共に、上面は屋内側に突出し、それぞれ取付フィン２６ａ、内側取付フィン２６ｂを形成している。屋外側面の取付フィン２６ａは取付孔を有しており、上補助枠２３はビス９によって建物の外壁５に固定される。したがって、上補助枠２３の屋外側面と外壁５の外面とは略同一平面となる。また、内側取付フィン２６ｂも取付孔を有しており、上補助枠２３はビス９によってパネル框材７に固定される。この上補助枠２３は、窓開口部Ａの上部にその長手方向略全長に渡って設けられる。さらに、上補助枠２３が取付けられた外壁５の外面及び上補助枠２３の取付フィン２６ａの外面には防水シート８によって防水加工が施され、その外面には外装材６が設けられる。
【００２２】
金属上枠２１には上補助枠２３の屋内側面１８ａと接する取付片２５を有し、該取付片２５と上補助枠２３の屋内側面１８ａとはネジ２７によって固定される。これによって、上枠２０は上補助枠２３に屋内側から固定される。ここで、取付片２５と上補助枠２３との間には防水パッキン８５を挟んで、補助枠体１７と主枠体１との隙間からの雨水の浸入を防いでいる。また、金属上枠２１には取付部材２８が固定される。取付部材２８は、縦断面略Ｌ字状に形成される。また、金属上枠２１に接する面にはネジ孔を有し、樹脂上枠２２及び金属上枠２１とネジによって固定されると共に、その屋外側端部には係合部２８ａを有し、金属上枠２１の係合部２８ｂと係合して固定される。この取付部材２８において上補助枠２３の屋内側面１８ａと接する面と上補助枠２３の屋内側面１８ａとはネジ２７によって固定される。すなわち、上補助枠２３と金属上枠２１及び樹脂上枠２２とは取付部材２８を介して固定される。
【００２３】
図４に示すように下補助枠３３は、その断面を略Ｌ字状に形成され、内部は中空状とされている。また、その下面には下方に突出する取付フィン３６ａを形成すると共に、下面の屋内側端部には屋内側に突出する内側取付フィン３６ｂを形成している。取付フィン３６ａは取付孔を有しており、下補助枠３３はビス９によって建物の外壁５に固定される。また、内側取付フィン３６ｂも取付孔を有しており、下補助枠３３はビス９によってパネル框材７に固定される。この下補助枠３３は、窓開口部Ａの下部にその長手方向略全長に渡って設けられる。さらに、下補助枠３３が取付けられた外壁５の外面には防水シート８によって防水加工が施され、その外面には外装材６が設けられる。
【００２４】
金属下枠３１には下補助枠３３の屋内側面１８ａと接する取付片３５を有し、該取付片３５と下補助枠３３の屋内側面１８ａとはネジ３７によって固定される。これによって、下枠３０は下補助枠３３に屋内側から固定される。ここで、取付片３５と下補助枠３３との間には防水パッキン８５を挟んで、補助枠体１７と主枠体１との隙間からの雨水の浸入を防いでいる。
【００２５】
また、金属下枠３１は、外壁５に固定するための取付フィン２６ａよりも屋外側に延びて水切部３８を一体形成している。水切部３８は外装材６よりも屋外側まで延出されることで、雨水等を屋外に排出し、外壁５と外装材６との接合部分を直接雨水等にさらさないようにすることができる。
【００２６】
図５に示すように縦補助枠４３は、その断面を方形状に形成され、内部は中空状とされている。また、パネル框材７に接する面の屋外側端部は屋外側に突出し、さらにその突出部分から外壁方向に垂直に取付フィン４６ａを形成している。また、パネル框材７に接する面の屋内側端部は屋内側に突出して内側取付フィン４６ｂを形成している。屋外側の取付フィン４６ａは取付孔を有しており、縦補助枠４３はビス９によって建物の外壁５に固定される。また、屋内側の内側取付フィン４６ｂも取付孔を有しており、縦補助枠４３はビス９によってパネル框材７に固定される。この縦補助枠４３は、窓開口部Ａの上部にその長手方向略全長に渡って設けられる。さらに、縦補助枠４３が取付けられた外壁５の外面には防水シート８によって防水加工が施され、その外面には外装材６が設けられる。
【００２７】
金属縦枠４１には縦補助枠４３の屋内側面１８ａと接する取付片４５を有し、該取付片４５と縦補助枠４３の屋内側面１８ａとはネジ４７によって固定される。これによって、縦枠３０は縦補助枠４３に屋内側から固定される。ここで、取付片４５と縦補助枠４３との間には防水パッキン８５を挟んで、補助枠体１７と主枠体１との隙間からの雨水の浸入を防いでいる。
【００２８】
次に、サッシの屋内側に設けられる化粧枠１４について説明する。補助枠体１７を建物の開口部Ａに設け、その屋内側面１８ａに主枠体１の取付フィンを固定すると、補助枠体１７の屋内側と主枠体１及び建物の外壁５との間に連結部空間が生じる。この空間には化粧枠１４が設けられて、屋内側からサッシを見た場合に見栄えのよいサッシとすることができる。また、この空間は上下及び縦枠のいずれにも生じるので、化粧枠１４は上下及び縦枠にそれぞれ設けられる。すなわち、化粧枠１４は上化粧枠２４、下化粧枠３４、及び縦化粧枠４４、４４とからなっている。なお、化粧枠１４は樹脂枠１３や樹脂框１６と同様に樹脂からなり、塩化ビニルやアクリル樹脂等によって成型される。
【００２９】
これらの化粧枠１４は、それぞれ屋内側からサッシを見て補助枠体１７が見えないように上記空間を略覆うように形成され、その断面は中空状に形成される。また、上化粧枠２４及び下化粧枠３４は、サッシの左右方向略全長に渡って設けられ、縦化粧枠４４、４４は、サッシの上下方向略全長に渡って設けられる。さらに、上化粧枠２４は樹脂上枠２２に、下化粧枠３４は樹脂下枠３２に、縦化粧枠４４、４４は樹脂縦枠４２、４２にそれぞれネジによって固定される。
【００３０】
次に、本発明に係るサッシを建物の開口部Ａに取付ける際の取付方法について説明する。
まず、外壁５に補助枠体１７が固定される。補助枠体１７は建物の開口部Ａの四周に固定される。補助枠体１７は、外壁５の外面にビス９によって取付けられるので、建物の屋外側に設けられた足場に拠って取付作業がなされる。また、補助枠体１７は、外壁５の内側に設けられたパネル框材７にもビス９によって固定される。なお、外壁パネル製造工場において、外壁５の製造段階であらかじめ外壁５に補助枠体１７を取付けることもできる。このようにすれば、建築現場で足場に拠り補助枠体１７の取付作業を行うことが不要になる。
【００３１】
次に、外装材６の取付けを行う。まず、外壁５と外装材６との接触面に雨水等を浸入させないように防水処理を行う。すなわち、外壁５の外面に防水シート８を設ける。この防水シート８は、建物の開口部Ａの四周に設けられ、上記補助枠体１７の取付フィンも覆い被せるように配置する。このようにして防水処理された外壁５の外面に、上記外装材６を取付ける。
【００３２】
次に、主枠体１を補助枠体１７に固定する。上下及び縦枠を枠組みした主枠体１は屋内側から、上枠２０の取付片２５と上補助枠２３をネジ２７によって、取付片３５と下補助枠３３をネジ３７によって、取付片４５、４５と縦補助枠４３、４３をネジ４７によって、それぞれ固定する。主枠体１を補助枠体１７に取付けたら、主枠体１と補助枠体１７及びパネル框材７とに囲まれた空間に化粧枠１４を取付ける。上下及び縦化粧枠は、それぞれ上下及び縦樹脂枠にネジによって固定される。この方法においては、補助枠体１７を屋外側の足場に拠って取付ける必要はあるものの、補助枠体１７は軽量であり、その取付けは比較的容易なので、重量の大きい主枠体１を足場に拠って取付ける場合よりも安全に作業を行うことができる。また、主枠体１は外壁５に直接固定されるわけではないので、建物のリフォームの際など主枠体１を取替える場合に、外装材６や外壁５を傷めることなく取替えできる。
【００３３】
これまで本発明の一実施形態について説明したが、本発明は上記に示した実施形態に限定されず、その技術的思想の範囲内において種々異なる形態にて実施されてよいものである。例えば、本実施形態においては、本発明を横走行自在な引き違い障子に適用したものを示したのに対し、一方若しくは両方の障子が固定され、いわゆる嵌め殺し窓とされたものに適用することもできる。また、本実施形態においては、金属枠及び金属框の屋内側露出部分を樹脂枠及び樹脂框によって覆った、いわゆる複合窓に本発明を適用しているのに対し、金属枠及び金属框のみからなる窓に本発明を適用することもできる。さらに、化粧枠についても本実施形態においては樹脂からなるのに対して、金属により形成するようにしてもよい。
【００３４】
また、本発明をテラスタイプの窓に適用することもできる。図７は、本発明をテラスタイプの窓に適用した場合のサッシ下部拡大図である。この場合においては、上枠及び縦枠の構造は上記実施形態と略同一である。下枠３０は、図７に示すように、外障子１０の下端と内障子１１の下端及び床材８６の上面とが略同一面上となるように形成される。また、床材８６は樹脂下枠３２と直接ネジによって固定されるため、窓タイプに関する上記実施形態と異なり、下化粧枠を設ける必要はない。
【００３５】
【発明の効果】
以上のように、請求項１記載の本発明によれば、補助枠体を開口部に屋外側から取付け固定し、主枠体は開口部に屋内側から取付けると共に、補助枠体に屋内側から固定するので、枠組みした主枠体を建物の屋内側から開口部に固定することができ、足場に拠ることなく安全に取付作業を行うことができるという効果がある。また、外壁に直接固定されるのは補助枠体であるために、外壁を傷めることなく主枠体を取替えることができるという効果がある。
【００３６】
また、請求項２記載の本発明によれば、補助枠体はその屋内側面に枠体固定部を有し、その枠体固定部は補助枠体の四周に連続してなると共に、主枠体は枠体固定部に屋内側から当接固定する取付片を有するため、主枠体を固定する枠体固定部が屋内側に面していると共に、その枠体固定部は四周に連続しており一平面からなるので、枠組みした主枠体を補助枠体に取付ける作業を容易に行うことができるという効果がある。
【００３７】
また、請求項３記載の本発明によれば、補助枠体は屋外側端部に外壁の外面に固定される取付フィンを有し、その取付フィンの外面及び外壁の外面は防水処理を施されているので、補助枠体の防水を外壁の防水と共用することができ、補助枠体と建物躯体との防水性能を向上させることができるという効果がある。
【００３８】
さらに、請求項４記載の本発明によれば、補助枠体は屋内側端部に内側取付フィンを有し、その内側取付フィンを開口部の内周面に固定するので、補助枠体と建物躯体とを強固に固定することができるという効果がある。
【００３９】
さらにまた、請求項５記載の本発明によれば、補助枠体の下補助枠には屋外側端部に水切部を一体形成されていることにより、従来水切部を別体として設けていた場合と比べてその施工を容易にすることができるという効果がある。
【００４０】
そして、請求項６記載の本発明によれば、開口部の内周面における主枠体及び補助枠体の連結部空間に化粧枠を設けることにより、補助枠体の屋内側に生じる連結部空間を塞ぐことができるので、サッシを屋内側から見た場合に見栄えの良いサッシとすることができるという効果がある。
【００４１】
また、請求項７記載の本発明によれば、補助枠体を開口部に屋外側から取付け固定し、主枠体は開口部に屋内側から取付けると共に、補助枠体に屋内側から固定するので、サッシの取付作業を屋内側から容易に行うことができるという効果がある。
【図面の簡単な説明】
【図１】本発明の実施形態におけるサッシの縦断面図である。
【図２】本発明の実施形態におけるサッシの横断面図である。
【図３】本発明の実施形態におけるサッシ縦断面図の上部拡大図である。
【図４】本発明の実施形態におけるサッシ縦断面図の下部拡大図である。
【図５】本発明の実施形態におけるサッシ横断面図の端部拡大図である。
【図６】本発明の実施形態における主枠体と補助枠体の上部拡大組立図である。
【図７】本発明をテラスタイプの窓に適用した場合のサッシ縦断面図の下部拡大図である。
【符号の説明】
１　　主枠体
２　　框体
３　　障子
４　　網戸
５　　外壁
６　　外装材
７　　パネル框材
８　　防水シート
９　　ビス
１０　　外障子
１１　　内障子
１２　　金属枠
１３　　樹脂枠
１４　　化粧枠
１５　　金属框
１６　　樹脂框
１７　　補助枠体
１８　　枠体固定部
１８ａ　屋内側面
２０　　上枠
２１　　金属上枠
２２　　樹脂上枠
２３　　上補助枠
２４　　上化粧枠
２５　　取付片
２６ａ　取付フィン
２６ｂ　内側取付フィン
２７　　ネジ
２８　　取付部材
２８ａ　係合部
２８ｂ　係合部
３０　　下枠
３１　　金属下枠
３２　　樹脂下枠
３３　　下補助枠
３４　　下化粧枠
３５　　取付片
３６ａ　取付フィン
３６ｂ　内側取付フィン
３７　　ネジ
３８　　水切部
４０　　縦枠
４１　　金属縦枠
４２　　樹脂縦枠
４３　　縦補助枠
４４　　縦化粧枠
４５　　取付片
４６ａ　取付フィン
４６ｂ　内側取付フィン
４７　　ネジ
５０　　上框
５１　　金属上框
５２　　樹脂上框
６０　　下框
６１　　金属下框
６２　　樹脂下框
７０　　縦框
７１　　金属縦框
７２　　樹脂縦框
８０　　ガラス体
８１　　押縁部材
８２　　レール
８３　　戸車
８４　　水密材
８５　　防水パッキン
８６　　床材
Ａ　　　窓開口部
【図１】
2004036176.tif 000003
【図２】
2004036176.tif 000004
【図３】
2004036176.tif 000005
【図４】
2004036176.tif 000006
【図５】
2004036176.tif 000007
【図６】
2004036176.tif 000008
【図７】
2004036176.tif 000009